【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
光が入射される表示板と、
該表示板の一方の板面に対向して設けられ、かつ、多数の画素に対応した数のアクチュエータ部が配列された駆動部と、
前記各アクチュエータ部に設けられ、少なくとも光反射部を有する画素構成体と、
前記表示板の前記一方の板面側に充填された光吸収性の液体とを具備し、
入力される画像信号の属性に応じて前記アクチュエータ部を選択的に駆動することにより、前記表示板に対して前記画素構成体が接近する方向又は離間する方向に変位する動作を制御して、前記表示板と前記画素構成体間の光吸収性を制御することにより、前記表示板に前記画像信号に応じた映像を表示させる反射型表示装置であって、
前記アクチュエータ部は、形状保持層と該形状保持層に形成された少なくとも一対の電極とを有する作動部と、該作動部を支持する振動部と、該振動部を振動可能に支持する固定部とを有し、
前記アクチュエータ部は屈曲変位することを特徴とする反射型表示装置。
【請求項２】
請求項１記載の反射型表示装置において、
前記画素構成体の変位量は０．１μｍ〜１０μｍ以下であることを特徴とする反射型表示装置。
【請求項３】
請求項１又は２記載の反射型表示装置において、
前記光吸収性の液体が充填されている空間内に、複数の前記アクチュエータ部が存在し、
各前記アクチュエータ部に対応して複数の桟が設けられていることを特徴とする反射型表示装置。
【請求項４】
請求項３記載の反射型表示装置において、
前記アクチュエータ部は、基板層と、該基板層上に形成され、前記作動部に対応する箇所に空所を有するスペーサ層と、該スペーサ層上に形成された前記振動部とを有し、
前記スペーサ層の厚みは２０μｍ以下であることを特徴とする反射型表示装置。
【請求項５】
請求項４記載の反射型表示装置において、
前記アクチュエータ部の変位動作の際に、前記振動部が前記基板層に接触することを特徴とする反射型表示装置。
【請求項６】
請求項１〜３のいずれか１項に記載の反射型表示装置において、
前記画素構成体のうち、前記光吸収性の液体に面する部分に凹凸を有していることを特徴とする反射型表示装置。
【手続補正２】
【補正対象書類名】明細書
【補正対象項目名】００１４
【補正方法】変更
【補正の内容】
【００１４】
本発明に係る反射型表示装置は、光が入射される表示板と、該表示板の一方の板面に対向して設けられ、かつ、多数の画素に対応した数のアクチュエータ部が配列された駆動部と、前記各アクチュエータ部に設けられ、少なくとも光反射部を有する画素構成体と、前記表示板の前記一方の板面側に充填された光吸収性の液体とを具備し、入力される画像信号の属性に応じて前記アクチュエータ部を選択的に駆動することにより、前記表示板に対して前記画素構成体が接近する方向又は離間する方向に変位する動作を制御して、前記表示板と前記画素構成体間の光吸収性を制御することにより、前記表示板に前記画像信号に応じた映像を表示させる反射型表示装置であって、前記アクチュエータ部は、形状保持層と該形状保持層に形成された少なくとも一対の電極とを有する作動部と、該作動部を支持する振動部と、該振動部を振動可能に支持する固定部とを有し、前記アクチュエータ部は屈曲変位することを特徴とする。なお、前記表示板は透明性を有することが好ましい。
【手続補正３】
【補正対象書類名】明細書
【補正対象項目名】００１６
【補正方法】変更
【補正の内容】
【００１６】
そして、前記画素構成体が前記表示板に接近する方向に変位することにより、前記表示板と前記画素構成体間における前記光吸収性の液体の厚みが減じることで発光状態とされ、前記画素構成体が前記表示板から離間する方向に変位することにより、前記表示板と前記画素構成体間における前記光吸収性の液体の厚みが増加することで消光状態とされる。
【手続補正４】
【補正対象書類名】明細書
【補正対象項目名】００１７
【補正方法】変更
【補正の内容】
【００１７】
前記画素構成体の変位量は０．１μｍ〜１０μｍ以下であることが好ましい。また、前記光吸収性の液体が充填されている空間内に、複数の前記アクチュエータ部が存在し、各前記アクチュエータ部に対応して複数の桟が設けられていてもよい。
また、前記アクチュエータ部は、基板層と、該基板層上に形成され、前記作動部に対応する箇所に空所を有するスペーサ層と、該スペーサ層上に形成された前記振動部とを有し、前記スペーサ層の厚みは２０μｍ以下であることが好ましい。この場合、振動部の撓みが、その撓み方向に近接する基板層により制限され、意図しない外力の印加に対して、振動部の破壊を防止するという効果が得られる。また、前記アクチュエータ部の変位動作の際に、前記振動部が前記基板層に接触するようにしてもよい。この場合、基板層による撓みの制限効果を利用して、アクチュエータ部の変位を特定値に安定させることも可能である。
【手続補正５】
【補正対象書類名】明細書
【補正対象項目名】００１８
【補正方法】変更
【補正の内容】
【００１８】
なお、前記画素構成体は着色層を有するようにしてもよい。この場合、画素構成体を構成する前記光反射部が着色層を兼ねるようにしてもよい。
【手続補正６】
【補正対象書類名】明細書
【補正対象項目名】００２０
【補正方法】変更
【補正の内容】
【００２０】
ここで、光吸収性の液体（以下、便宜的に光吸収体と記す）は、黒色に限定されるわけではない。例えば青色の光吸収体を用いてもよい。この場合、例えば色フィルタを用いない場合を想定したとき、青色の背景に白点が表示されるようにすることができる。また、赤色の色フィルタを併用すれば、青色の背景に赤点を表示することができる。
【手続補正７】
【補正対象書類名】明細書
【補正対象項目名】００２１
【補正方法】変更
【補正の内容】
【００２１】
このようにして、色フィルタと光吸収体の色の組合せで、任意の背景色や表示色を選択することができる。
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】変更
【補正の内容】
【００２５】
前記光吸収体の光透過性の制御方法としては、アクチュエータ部の変位動作によって、光吸収体の厚み（表示板と画素構成体間の距離）を変化させることが好ましく用いられる。厚みの値やその変化量は、特に限定されるものではないが、それらが０．１μｍ以上、１０μｍ以下が特に好ましく用いられる。
【手続補正１０】
【補正対象書類名】明細書
【補正対象項目名】００２６
【補正方法】変更
【補正の内容】
【００２６】
また、画素構成体のうち、光吸収体に面する部分に凹凸を設けてもよい。この凹凸が光吸収体の流路を形成するため、発光／消光の応答性を向上させる効果がある。また、凸型であることも好ましい。
【手続補正１１】
【補正対象書類名】明細書
【補正対象項目名】００２７
【補正方法】変更
【補正の内容】
【００２７】
また、画素構成体のうち、光吸収体に面する部分に透明層を設けることも好ましく用いられる。この透明層は、画素構成体の高さを合わせて、例えばアクチュエータ部が自然状態における光吸収体の厚みを均一になるようにする働きをもつ。もちろん、前記透明層に前記凹凸や凸面形状を形成してもよい。